(57)【要約】  本発明の目的は、区画式板材（１）の製造方法、区画式板材、細長い金属板からなる、区画式板材の部材の生産方法、及び、生産ラインである。本発明の区画式板材（１）は、互いに締め付けられた、平板様の材料からなる、当初、分離した区画板（４、６）を具備している。単一の区画板は、完成した区画式板材において、実質的に平面状の第一突出面（６、６’）、 実質的に平面状の第二突出面（６’’、６’’’）、及び、第一、第二突出面を相互接続するように構成された、コア（４、４’）を形成する。区画式板材（１）において、隣接する薄板で、第一突出面（６、６’）が、隣り合って配置されて、区画式の板材の第一面板（２）を形成し、第二突出面（６’’、６’’’）が、隣り合って配置されて、区画式の板材の第二面板（３）を形成し、区画板コア（４、４’）が、区画式板材のコア構造体を形成するように、区画板は、互いに、締め付けられている。
2009515072.tif 000002
【特許請求の範囲】
【請求項１】
第一の面板（２）、第二の面板（３）、および、それらの間にあるコア構造体（４、４’）から形成される、区画式の板材（１）を製造する方法において、
前記区画式の板材は、複数の平板様の材料からなる区画板を互いに締付けることによって、製造され、前記複数の区画板は、
略平面状の第一突出面（６、６’）と、
略平面状の第二突出面（６’’、６’’’）と、
前記第一突出面と前記第二突出面とを互いに相互接続するように構成された、コア構造体（４、４’）とであって、
前記区画板は、
前記第一突出面（６、６’）が隣り合って締め付けられて、前記区画式の板材の第一の面板（２）が形成され、
前記第二突出面（６’’、６’’’）が隣り合って締め付けられて、前記区画式の板材の第二の面板（３）が形成され、
前記コア構造体（４、４’）が前記第一突出面および前記第二突出面（６、６’、６’’、６’’’）に締付けられて、区画式の板材のコア構造体が形成される、
ように、互いに締付けられる、
ことを特徴とする区画式の板材（１）を製造する方法。
【請求項２】
隣接する区画板は、機械的に継ぎ合わせることによって、互いに締付けられる、ことを特徴とする請求項１に記載の方法。
【請求項３】
隣接する区画板は、糊付け、リベット止め、螺子止め、あるいは、溶接によって、互いに締付けられている、ことを特徴とする請求項１、あるいは、２に記載の方法。
【請求項４】
隣接する区画板は、適当な大きさの略平面状の金属薄板から製造されて、前記金属薄板に、端、窪み、突起、あるいは、その他の形状が形成されている、ことを特徴とする請求項１、２、あるいは、３に記載の方法。
【請求項５】
前記第一の、あるいは、第二の突出面、コア、あるいは、これらすべてに、窪み、溝、突出、あるいは、突起のような、細長い強化形状が冷間成形によって形成されている、ことを特徴とする請求項１、２、３、あるいは、４に記載の方法。
【請求項６】
細長い強化形状は、ロール成形によって、製作されている、ことを特徴とする請求項５に記載の方法。
【請求項７】
前記突起面、あるいは、前記コアに、固定用の折目が形成されることで、隣り合わせに配置される、前記区画板が、互いに向かい合うように配置されることによって、固定される、ことを特徴とする請求項１、２、３、４、５、あるいは、６に記載の方法。
【請求項８】
前記隣り合う区画板は、機械的な継ぎ合わせ、接着、リベット止め、螺子止め、および、溶接のうちの１つ、あるいは、それ以上の方法によって、固定用の折目で、互いに締め付けられている、ことを特徴とする請求項７に記載の方法。
【請求項９】
第一、および、第二の略平行な面板（２、３）、および、前記面板の間のコア構造体（４、４’）を具備した、区画式の板材（１）であって、
前記区画式の板材は、平板様の材料からなり、互いに締付けられた、複数の区画板を具備し、前記区画板は、
略平面状の第一の突出面（６、６’）であり、
略平面状の第二の突出面（６’’、６’’’）であり、
第一の突出面と第二の突出面とを互いに相互接続するように構成された、コア（４、４’）であって、前記区画板は、
前記第一の突出面（６、６’）は、隣り合って配置されて、区画式の板材の第一の面板（２）を形成し、
前記第二の突出面（６’’、６’’’）隣り合って配置されて、区画式の板材の第二の面板（３）を形成し、
前記コア（４、４’）は、前記第一、及び、第二の面板（２、３）に締付けられて、区画式の板材のコア構造体を形成する、
ように、互いに締め付けられた、
ことを特徴とする区画式の板材。
【請求項１０】
隣接する区画板は、機械的に継ぎ合わせることによって、互いに締付けられている、ことを特徴とする請求項９に記載の区画式の板材。
【請求項１１】
隣接する区画板は、糊付け、リベット止め、螺子止め、あるいは、溶接によって、互いに締付けられている、ことを特徴とする請求項９、あるいは、１０に記載の区画式の板材。
【請求項１２】
個々の区画板は、適当な大きさの単一の平面状の金属薄板からなり、前記金属薄板に、端、窪み、突出、あるいは、突起が形成される、ことを特徴とする請求項９−１１のいずれか１項に記載の区画式の板材。
【請求項１３】
前記突起面、あるいは、前記コアに、固定用折目が形成されることで、隣り合わせに配置される、前記区画板が、互いに向かい合うように配置されることによって、固定される、ことを特徴とする請求項９−１２のいずれか１項に記載の区画式の板材。
【請求項１４】
前記隣り合う区画板は、機械的な継ぎ合わせ、接着、リベット止め、螺子止め、および、溶接のうちの１つ、あるいは、それ以上の方法によって、固定用の折目で、互いに締め付けられている、ことを特徴とする請求項１３に記載の区画式の板材。
【請求項１５】
前記第一、および、第二の突出面は、略平行に配置される、ことを特徴とする請求項９−１４のいずれか１項に記載の区画式の板材。
【請求項１６】
前記第一、および、第二の突出面は、略同一の形状、あるいは、互いに略鏡像関係にある形状をなすことを特徴とする、請求項９−１５のいずれか１項に記載の区画式の板材。
【請求項１７】
前記コアは、ジグザク形状、あるいは、波状形状の、折目を持つように成形されている、ことを特徴とする請求項９−１６のいずれか１項に記載の区画式の板材。
【請求項１８】
窪み、溝、突出、あるいは、突起のような、細長い強化形状が、前記第一、あるいは、第二突出面、前記コア、あるいは、それらすべてに、冷間成形によって形成される、ことを特徴とする請求項９−１７のいずれか１項に記載の区画式の板材。
【請求項１９】
前記細長い強化形状は、ロール形成によって製作される、ことを特徴とする請求項１８に記載の区画式の板材。
【請求項２０】
前記区画式の板材は、突出面となるように構成された、第一の区画板、コアとなるように構成された、第二の区画板の、２つのタイプの区画板から形成される、ことを特徴とする請求項９−１９のいずれか１項に記載の区画式の板材。
【請求項２１】
細長い鋼板からなる、区画式の板材の部材（１）を生産する方法であって、
ロール形成装置（１０７）によって細長い鋼板から作製される、所定の幅と長さを持つ、鋼板からなる盲板に、固定用の折目（１３、１４、２３、２４）をロール成形する工程、
組立ての順番に従って、前記薄板をソートする工程、
前記固定用の折目で、前記薄板を事前に互いに締付ける工程、あるいは、
前記固定用の折目で、互いにしっかりと固定されるように、機械的継ぎ合わせ装置（１１２）によって、前記薄板を互いに機械的に継ぎ合わせる工程、
のいずれか１つの工程を含むことを特徴とする、
区画式の板材の部材（１）を生産する方法。
【請求項２２】
盲版は、ロール成形に先立って、
ストリップ切断機（１０４）によって、前記細長い鋼板から所望の幅を持つ断片を切り取る工程と、
切断装置（１０６）、前記断片から鋼鈑の盲板を切り出す工程と、
前記盲板を前記切断装置（１０６）から前記ロール成形装置（１０７）へ移動する工程と、によって形成される、
ことを特徴とする請求項２１に記載の方法。
【請求項２３】
細長い鋼鈑のロールを保管庫（１０１）に保管する工程と、
リール移送装置（１０２）の支援を受けて、鋼鈑のロールを前記保管庫から第一の巻取りリール（１０３）へ移送する工程と、
前記第一の巻取りリールから前記ストリップ切断機（１０４）へ鋼鈑を解き出す工程と、
で特徴付けられる請求項２２に記載の方法。
【請求項２４】
前記切断された断片を前記ストリップ切断機（１０４）から第二の巻取りリール（１０５）へ移送する工程と、
前記切断された断片を前記第二の巻取りリール（１０５）から切断装置（１０６）へ解き出す工程と、
で特徴付けられる請求項２２に記載の方法。
【請求項２５】
薄板を前記ロール形成装置（１０７）から薄板ソーティング台（１０８）に移送する工程と、
組立て順序にしたがって、前記薄板ソーティング台（１０８）上で、前記薄板をソーティングする工程と、
前記薄板ソーティング台（１０８）から薄板事前組立て台（１０９）に移送する工程と、
薄板事前組立て台（１０９）で、固定用の折目で、事前に前記薄板を互いに締付ける工程と、
前記事前に互いに締付けられた前記薄板を、前記薄板事前組立て台（１０９）から区画板式の板材の部材組み立て台（１１３）へ移送する工程と、
前記事前に互いに締付けられた前記薄板を、前記区画板式の板材の部材組み立て台（１１３）上で、それらの折目で互いにしっかりと固定されるように、機械的に継ぎ合わせる工程と、
で特徴付けられる請求項２１に記載の方法。
【請求項２６】
次の前記薄板を投入して機械的に継ぎ合わせるのに先立って、前記機械的に継ぎ合わされた区画式の板材部材内に、絶縁体を取付ける工程、で特徴付けられる請求項２１に記載の方法。
【請求項２７】
前記薄板の間に前記絶縁体を接着する工程、で特徴付けられる、請求項２６に記載の方法。
【請求項２８】
前記機械的に継ぎ合わせるのに先立って、接着装置（１１１）で、少なくともいくつかの事前に互いに締付けられた薄板に接着剤を塗る工程、で特徴付けられる請求項２１に記載の方法。
【請求項２９】
別のテーブル（１１４）上で、前記区画板を仕上げる工程と、
区画式の板材の部材持上げ装置（１１５）で、前記別のテーブル（１１４）から前記区画式の板材の部材の保管庫（１１６）へ前記仕上がった区画式の板材の部材を移動する工程と、
で特徴付けられる請求項２１に記載の方法。
【請求項３０】
前記薄板が前記固定用の折目で互いに固定されて、前記区画式の板材の第一の面板（２）を形成するために、第一の薄板（６、６’）が隣り合わせに、および、主に平行に配置されるように、および、前記区画式の板材の第二の面板（３）を形成するために、第二の薄板（６’’、６’’’）が隣り合わせに、および、主に平行に配置されるようにされることで、前記第一の、および、第二の面板は、主に平行になり、互いに距離を保つように配置され、および、コア薄板（４、４’）は、区画式の板材の前記コア構造体を形成するために、前記面板を相互に接続するよう用に配置される、前記薄板を機械的に継ぎ合わせる工程、で特徴付けられる請求項２１に記載の方法。
【請求項３１】
固定用の折目（１４、２３、１４’’、２４）で互いに固定されるように、または、２つの薄板、あるいは、前記面薄板（６、６’）が主に平行になり、互いに距離（Ｂ）を保つように配置するように、および、第三の薄板、すなわち、コア薄板（４）が前記２つの薄板と相互接続されるように配置するように、３つの薄板を機械的に継ぎ合わせることによって、区画板盲板を形成する工程と、
固定用の折目（１４、１３’、１４’’、１３’’’）で互いに固定されるように、および、隣接する区画板薄板からなる前記面薄板（6、６’）が主に平行になるように配置されることで、前記隣り合う薄板は、区画式の板材部材の表面プレートを形成し、前記コア薄板は、コア構造体を形成するように、複数の区画板盲板を隣り合わせに機械的に継ぎ合わせる工程と、
で特徴付けられる請求項２１に記載の方法。
【請求項３２】
細長い鋼板からなる、区画式の板材の部材（１）を生産する、生産ラインであって、
固定用の折目（１３、１４、２３、２４）を細長い鋼板からなり、所定の幅と長さを持つ、鋼板の盲板に加工して、盲板を薄板（４、６）に変形する、ロール成形装置（１０７）と、
前記固定用の折目は、事前に互いに締付けられて、互いに固定された薄板は、面板（２、３）と区画式の板材部材のコア構造体（４）を形成する、薄板を互いにしっかりと固定する、機械的継ぎ合わせ装置（１１２）と、を具備する、
ことを特徴とする区画式の板材の部材の生産ライン。
【請求項３３】
細長い鋼鈑から所望の幅を持った断片を切り出す、ストリップ切断機（１０４）、および、前記断片から所望の長さの鋼鈑盲板を切り出して、前記盲板は、前記切断装置（１０６）から前記ロール成形装置（１０７）へ移送される、切断装置（１０６）を具備する、
ことを特徴とする、請求項３２に記載の生産ライン。
【請求項３４】
細長い鋼鈑のロールを保管する、保管庫（１０１）、鋼鈑ロールを前記保管庫から工程へ移送する、リール移送装置（１０２）、前記保管庫から鋼鈑ロールが移送されることができる、第一の巻取りリール（１０３）を具備する、ことを特徴とする請求項３３に記載の生産ライン。
【請求項３５】
前記ストリップ機（１０４）から切断された断片が移送されることができ、前記断片を前記切断装置（１０６）へ解き出すことができる、第二の巻取りリール（１０５）を具備する、ことを特徴とする請求項３３に記載の生産ライン。
【請求項３６】
前記ロール成形装置（１０７）から前記薄板が移動されて、その上で組立て順にしたがって前記薄板が組立てられることができる、ソーティング台（１０８）と、
前記ソーティング台（１０８）でソートされた薄板が移送されることができて、その上で前記薄板がそれらの固定用の折目で事前に互いに締付けられる、薄板事前組立て台（１０９）と、
前記薄板事前組立て台（１０９）から互いに事前締付けされた前記薄板が移送されることができる、区画式の板材部材組立て台（１１３）と、を具備して、
前記機械的継ぎ合わせ装置（１１２）は、前記組み立て台（１１３）と関連して動作できるように、前記組み立て台（１１３）と接続されて構成され、
前記事前に締付けられた薄板は、前記組立て台（１１３）上で区画式の板材部材の部品を形成するように相互接続されるように構成されている、
ことを特徴とする請求項３２に記載の生産ライン。
【請求項３７】
機械的に継ぎ合わせた区画式の板材部材のある部分の中に絶縁体を配置する、絶縁体処理装置（１１０）を具備する、ことを特徴とする請求項３２に記載の生産ライン。
【請求項３８】
前記薄板を機械的に継ぎ合わせる前に、少なくともいくつかの事前に互いに締付けられた薄板の間の前記ギャップに接着剤を塗る、接着装置（１１１）を具備する、ことを特徴とする請求項３２に記載の生産ライン。
【請求項３９】
前記区画式の板材部材を前記区画式の板材部材組み立て台（１３）から前記区画式の板材部材の別の台（１１４）へ移送する手段と、
区画式の板材部材を仕上げ用であって、前記区画式の板材部材が前記区画式の板材部材組立て台（１１３）からその上へ移送されることができる、区画式の板材部材の別の台（１１４）と、
前記別の台（１１４）から区画式の板材部材保存庫（１１６）へ前記仕上がった区画式の板材部材を移送する、前記区画式の板材部材用の持ち上げ装置（１１５）と、を具備する、
ことを特徴とする請求項３２に記載の生産ライン。
【発明の詳細な説明】
【技術分野】
【０００１】
本発明の目的は、添付の独立請求項の前文にしたがった、区画式の板材の製造方法、その区画式の板材、細長い鋼板からなる区画式の板材用の部材の製造方法および製造ラインである。特に、本発明は、区画式の板材を製造する、新しい方法に関する。
【背景技術】
【０００２】
区画式の板材（中空合板、あるいは、巣房状合板とも言う）とは、複数の、２つの実質的に平行な面板、および、その２つの実質的に平行な面板の間に配置された、コアから構成されているような、構造体である。通常、コアは、平板様の材料からなるが、面板とは方向が異なるような形状を持つようになっている。たとえば、その間で平板材料に折目や溝を形成したりする。典型的には、コアは、通常、区画式の板材全体に渡って伸延する、隣接して平行の直線的な複数の形状を具備している。区画式の板材のコアのその直線的形状の長手方向は、本文中では、コア方向と読んでいる。区画式の板材は、コア方向に垂直な方向の曲げに対して、特によく、抵抗する。従来の区画式の板材のコアは、通常、当初、面板から分離しているが、面板にしっかりと固定されている、構造体である。典型的には、面板とコアは、たとえば、レーザー溶接、あるいは、スポット溶接で、互いに溶接されている。面板とコアを互いに接着することも知られている。区画式の板材では、面板とコアは、典型的には、たとえば、ステンレス鋼、あるいは、アルミのような、金属からなるが、その他の材料も候補になることもある。面板とコアの暑さと材質、および、コアの形状は、各々の状況に適した寸法にすることができる。区画式の板材の構造は、均一の板構造よりも、実質的に、より軽く、より硬い、そして、より曲げに抵抗する、構造体を提供することができる。コアの形状は、区画式の板材の硬さと強度に強く影響する。鋼からなるコアは、たとえば、波状形状に曲がって、その突起部が面板に溶接された、平板から作製することができる。コアは、たとえば、Ｖ字型にすることができ、あるいは、実質的に、面板に垂直にした、すなわち、Ｉ字型の平板から作製することができる。コアは、蜂の巣型に曲げた平板で作製することもできる。円形の断面を持ち、チューブ形状をなす、棒は、コアとして使用することができる。
【０００３】
従来の区画式の板材における問題は、特に、大きな面積を持つ板材の中央部において、区画式の板材のコアを面板に締付けることが困難であることである。製造には、高価な設備が必要である。従来型の区画式の板材のひとつの問題は、同一の原材料から簡単にある大きさの区画式の板材のみしか製造できないことである。
【０００４】
建屋のベース・フロアは、通常、コンクリートから出来ている。ベース・フロアは、一般に、たとえば、コンクリート梁のような、水平梁によって支持されている。ベース・フロアを支持するのに、鋼の基礎杭のような、鉛直基礎杭が使用されている場合には、基礎杭を締付けるのに、特別な解決策を必要とする。水平基礎杭も、特別な建築的な解決策を必要とする。コンクリート・ベース・フロアの絶縁には、それらに特別の解決策が必要となる。
【発明の開示】
【０００５】
本発明の目的は、上述した、従来技術で発生している問題を、低減、さらには、取除くことである。
【０００６】
本発明の目的は、特に、低廉、迅速、そして、効果的な方法で、区画式の板材が製造できる、解決策を提供することである。
【０００７】
本発明の目的は、特に、コーティングに損傷を与えずに、区画式鋼板材の原材料として亜鉛めっき鋼板を使用することができる、解決策を提供することである。
【０００８】
本発明の目的は、特に、低廉、迅速、そして、効果的な方法で、建屋のベース・フロアが、少なくとも部分的に区画式の板材から作製されることができる、解決策を提供することである。
【０００９】
上述の目的を実現するために、本発明は、独立請求項の中の特徴部分の表記で特徴付けられる。
【００１０】
本記載で述べる実施態様と有利な効果は、特に言及しなくとも、適用できるとき、本発明の方法、本発明の区画式の板材、同様に、本発明の生産ラインに適用できる。
【００１１】
区画式の板材は、第一、第二の、実質的に平行な板、および、これらの間にコア構造体を備えている。本発明にしたがった、典型的な区画式の板材は、本出願で、その区画板を薄板とも呼ぶ、平板様の材料からなる、多くの別々の板を互いに締付けることで製造される。完成した区画式の板材において、それぞれ一つ一つの区画板は、
・実質的に、平面状の第一突出面と、
・実質的に、平面状の第二突出面と、
・上記第一突出面と上記第二突出面とを互いに相互接続するように構成された、コア構造体と、を形成するように製造されている。
本発明にしたがった、区画式の板材のこれらの区画板は、
・上記第一突出面が隣り合って、上記区画式の板材の第一の面板を形成し、
・上記第二突出面が隣り合って、上記区画式の板材の第二の面板を形成し、
・上記コア構造体が上記第一突出面および上記第二突出面に締付けられて、区画式の板材のコア構造体を形成するように、互いに締付けられる、ことを特徴とする区画式の板材を製造する方法。
【００１２】
本発明は、たとえば、船舶のミドル・デッキ、あるいは、高層ビルの途中階、壁、天井、および、床に使用される、区画式の板材を製造するのに使用できる。非常に強く軽い負荷ベアリング構造を、本発明の区画式の板材から製造することができる。たとえば、本発明の区画式の板材は、船舶、あるいは、建物のキャビン・モジュール、あるいは、部屋モジュールの構造体として使用することができる。たとえば、キャビン・モジュールは、その上に場合によっては数階も建てることができる、自己支持構造体として、簡単に製造することが出来る。このようなモジュールは、たとえば、船舶の自己支持キャビン区画、あるいは、高層ビルを形成することができる。
【００１３】
本発明の異なる区画板、および、区画式の板材は、状況に合わせて容易に製造することができる。異なる大きさと厚さの区画式の板材は、容易に製造することができる。これらの区画板は、たとえば、鋼、アルミ、あるいは、適当な金属からなることができる。その他の材料もその候補になることができる。これらから製造された、平板様の材料、および、それらの区画板を、片面、あるいは、両面を、たとえば、ＰＶＣフィルムで、コーティングすることができる。平板様の材料の厚さは、たとえば、０．５から５ｍｍ、あるいは、０．５から３ｍｍとすることができる。いわゆる、コア方向の区画板の長さは、たとえば、０．５から２０．０ｍ、あるいは、１．０から１０．０ｍとすることができる。突出面の幅は、たとえば、０．１から１．０ｍ、０．１から０．５ｍ、あるいは、０．１から０．２ｍとすることができる。単一区画板の突出面の間の距離は、たとえば、０．１から０．５ｍ、０．０５から０．４ｍ、あるいは、０．１から０．３ｍとすることができる。完成した区画式の板材の厚さは、一般に、ほぼ単一区画板の突出面の間の距離に等しい。完成した区画式の板材は、たとえば、５から１０００、１０から２００、あるいは、２０から１００の、隣り合って締付けられた、区画板を含むことができる。より力のかかるベアリング方向では、完成した区画式の板材の長さと大きさは、一般に、ほぼ単一区画板のいわゆるコア方向の長さに等しい。コア方向に対して垂直方向の区画式の板材の幅は、たとえば、０．５から５０ｍ、１から２５ｍ、あるいは、５から２０ｍとすることができる。上述の寸法は、単に、例である。この他の寸法もとることができる。
【００１４】
驚くべきことに、強い区画板は、完成した区画式の板材より十分小さい、分離した別々の区画板、あるいは、薄板から、それらを隣り合わせに取付けることによって、製造することができることを見出した。このように、互いに連結された、比較的幅の狭い板材、あるいは、複数の単一区画板からなる突出面が、区画材からなる完成した区画式板材の面板を形成する。
【００１５】
単一の区画板は、完成した区画式の板材に比較して小さい大きさなので、原材料を扱い易く、保管し易く、運搬し易い。
【００１６】
本発明の最も大きな有利な効果のひとつは、本発明にしたがった区画板を締付けることが容易であることである。多くの既知の従来方法を、区画板を締付けることに使用することができる。その中からいつでも適当な方法を選択することができる。このように、大きな完成した区画式の板材でも簡単にそして経済的に製造することができる。
【００１７】
本発明のひとつの実施態様では、ひとつの単一の区画板は、ひとつの単一の金属薄板からなっている。エッジ、窪み、突出、折目、あるいは、その他の形状を、既知の適当な方法で、この金属薄板に形成することができる。区画板を成形する、有利な方法は、冷間成形法と異なる、たとえば、ロール成形、あるいは、エッジングである。このような区画板は、薄板から迅速に経済的に製造することができる。
【００１８】
本発明のひとつの実施態様では、互いに張り合わせた固定用の折目が、突出表面あるいはコアに設けられて、互いに隣り合わせに配置される、区画板は、固定用の折目を互いに向かい合わせて配置することによって締付けられる。固定用の折目は、同一の方法で、時にはエッジ、窪み、突出、折目、あるいは、上述したこの他の形状と同時に作製される。互いに張り合わせた固定用の折目の力を借りて、所望の相対位置に、互いに向かい合わせて容易に配置できる。
【００１９】
本発明のひとつの実施態様で、隣接する区画板は、以下の１つあるいはそれ以上の助けを借りて、さらに、互いに対面する固定用の折目で互いに締付けられている。
・機械的な継ぎ合わせ
・接着
・リベット止め
・螺子止め
・溶接による継ぎ合わせ
このように、区画板間の継目は、非常に強靭で堅固なものとなる。たとえば、同一の固定用の折目は、最初に、互いに接着され、次に、螺子あるいはリベットで互いに区画板を固定することで、継目はさらにしっかりと締められることができる。
【００２０】
本発明のひとつの実施態様では、第一の固定用の折目は、第一の突出面の第一の端に形成され、第一の固定用の折目に張り合わせられる、第二の固定用の折目は、第一の突出面の第二の端に形成される。区画式の板材の一つのコアを形成する、区画板の折目もまた、典型的には、連接する２つの突出面に連結されている。
【００２１】
折目は、一つの接続点で３つの異なる区画板の端が互いに固定されるように、形成されることができる。区画式の板材が組立てられたとき、区画式の板材の２つの隣接する突出面、および、１つのコアは、互いに張り合わされて締め付けられる。たとえば、既知の機械継ぎによって固定は容易に行うことができる。
【００２２】
この文書の中では、文言、圧縮継ぎ合わせ（プレス・シーミング）は、機械継ぎ合わせ（マシン・シーミング）としても使用され、文言、圧縮継ぎ合わせ装置は、機械継ぎ合わせ装置としても使用される。マシン・シーミング、すなわち、プレス・シーミングは、この分野の当業者に知られた技術である。
【００２３】
本発明のひとつの実施態様では、連結されるべき区画板の各々の折目は、２つの折目を持つ屈曲した金属板を備えている。このような折目が３つ機械的に継ぎ合わされたとき、区画板の連結点で金属の６つの折目が形成される。この種の連結点は非常に強い。
【００２４】
本発明のひとつの実施態様では、第一の及び第二の突出面は、実質的に平行に構成されている。隣接する突出面が平行に配置されるように、区画板が互いに締め付けられるとき、非常に滑らかな第一の及び第二の突出面を持つ、区画式の板材が容易に得られる。単一の区画板の両突出面は、典型的には、同じ長さである。すなわち、第一の突出面の、第一及び第二の端の間の距離は、第二の突出面の、第一及び第二の端の間の距離にほぼ等しい。
【００２５】
本発明のひとつの実施態様では、単一の区画板の断面は、実質的に、対称形である。この種の区画板は、取付けるのが容易である。
【００２６】
本発明のひとつの実施態様では、第一の及び第二の突出面は、実質的に、その形状において同一、あるいは、互いに、鏡像の関係にある。この種の区画板は、取付けるのが容易である。有利な区画式の板材は、少なくとも、主に、第一の区画板が突出面として構成され、第二の区画板がコアとして構成される、２つのタイプだけからなる区画板から形成されている。
【００２７】
本発明のひとつの実施態様では、コアは、第一の及び第二の突出面間に締め付けられて、区画式の板材のある部分の断面は、実質的にＺ字型の形状をなしている。“実質的にＺ字型の形状をなしている”は、たとえば、コアが、第一及び第二の突出面をそれらの反対側の端で相互に接続していることを意味する。このＺ字型の形状は変化することができる。たとえば、突出面とコアの間の角度は、ほぼ９０°、あるいは、４５°から１３５°の間の任意の角度をなすことができる。
【００２８】
本発明の別の実施態様では、２つの突出面とコアのこれらを連結する断面は、Ｕ字型、あるいは、逆Ｕ字型を有し、第一の突出面の第一の端は、コアを介して、第二の突出面の第一の端に取付けられている。このような形状は、典型的に、コアを横断する軸に対して対称的である。このように得られる形状は、鋭角の角部を持つことが出来、あるいは、この角部は、丸くなることができる。第一の突出面とコアの間の連結部が鋭角をなし、第二の突出面とコアの間の連結部が丸いことも可能である。そして、突出面とコアの間の角は、一般に、９０°に非常に近く、あるいは、正確に９０°である。
【００２９】
区画式板材は、Ｚ字型およびＵ字型の両方に構成された、突出面とコアを備えることが出来る。
【００３０】
本発明の実施態様では、コア、あるいは、その部分は、ジグザグ形状を持つ小さい折目を持つ、あるいは、波状形状を持つように形作られることが出来る。この折目あるいは波状形状は、区画材のコアの方向にもこれに反対の方向にも構成されることが出来る。
【００３１】
本発明のひとつの実施態様では、たとえば、ロール成形のような、冷間成形によって作製された窪み、溝、突出、あるいは、突起のような、細長い強化形状が第一の突出面にあるいは第二の突出面にあるいはコアにあるいはこれらのすべてに構成されている。この強化形状は、突出面あるいはコアに、区画材のコア方向あるいはコア方向に対して９０°の角度で構成されている。突出面あるいはコアの強化形状は、たとえば、突出面の強化形状がコア方向に対して９０°をなし、コア内ではコア方向にあるように、異なる方向を持つことができる。強化形状は、突出面の第一の端からの第一の距離で始まって、突出面とコアの間の連結部からの第二の距離の位置まで繋がっているように形成することができる。しかしながら、この第一、第二の距離は、互いに異なることができ、この強化形状は、突出面の第一の端からその連結部間の距離の主要部を備えることが出来る優位な効果を持つ。いくつかの場合では、強化形状の長さは、実質的に、突出面の第一の端からその連結部間の距離に等しい。コアに関しては、実質的に、それらの連結部の間の距離に等しい。
【００３２】
本発明の一つの実施態様では、区画板は、
・完成した区画式板材の第一の面板の部分と、
・完成した区画式板材の第二の面板の部分と、
・完成した区画式板材のコア構造体の部分と、
を、単一体として備えている。  
【００３３】
本発明の一つの実施態様では、区画式板材は、本発明にしたがった、少なくとも２つのタイプの区画板を供えている。そして、区画式板材は、たとえば、Ｕ−区画板から、Ｕ−補強形状を持つ区画板と持たないＵ−区画板とがひとつおきに、製造される。このように、区画式板材の強度を、使用目的に応じたものに、簡単な方法で容易に調整することができる。補強形状の方向は、区画式板材の異なる区画板ごとに異なる方向であることができる。区画式板材は、Ｚ−形状とＵ−形状と両方の区画板を備えることもできる。
【００３４】
本発明にしたがった区画式板材は、少なくとも下記の工程を含む方法で、細長い鋼鈑から製造することができる。
・ロール形成装置によって細長い鋼板から作製される、所定の幅と長さを持つ、鋼板からなる盲板に、固定用の折目をロール成形する工程
・組立ての順番に従って、前記薄板をソートする工程
・前記固定用の折目で、前記薄板を事前に互いに締付ける工程
・前記固定用の折目で、互いにしっかりと固定されるように、機械的継ぎ合わせ装置によって、前記薄板を互いに機械的に継ぎ合わせる工程、これにより、区画式の板材の部材（区画板の集合体）が形成される。
【００３５】
本発明にしたがった、区画式板材、あるいは、区画式の板材の部材は、少なくとも下記を備える生産ラインで、細長い鋼鈑から製造することができる。
・固定用の折目を、細長い鋼板からなり、所定の幅と長さを持つ、鋼板の盲板に加工して、盲板を薄板に変形する、ロール成形装置と、
・前記固定用の折目は、事前に互いに締付けられて、互いに固定された薄板は、面板と区画式の板材部材のコア構造体を形成する、薄板を互いにしっかりと固定する、機械的継ぎ合わせ装置。
【００３６】
本発明にしたがった、薄板から区画式板材を製造するための典型的な装置は、少なくとも下記の部分を持つ。
・区画式の板材組立て台
・区画式の板材組立て台と連結された、圧縮継ぎ合わせ装置
・圧縮継ぎ合わせ装置に、薄板を供給する手段
【００３７】
本発明の有利な実施態様では、この装置は、さらに、少なくとも１つの、下記の機能、あるいは、付加部品を備えることができる。
・圧縮継ぎ合わせ装置に薄板を供給する手段は、圧縮継ぎ合わせ装置の内に備わっている。
・圧縮継ぎ合わせ装置は、組立て台に対して移動できるように構成されている。
・圧縮継ぎ合わせ装置は、圧縮ロールと継ぎ合わせロールを備えた、少なくとも２つの圧縮継ぎ合わせ手段を備えている。
・圧縮継ぎ合わせされた薄板内に、絶縁体を、典型的には、接着剤で貼付けて、配置する絶縁処理装置、および／あるいは、
・薄板が圧縮継ぎ合わせされる前に、少なくともいくつかの薄板の間のギャップの中に、継ぎ合わせを絶縁する部材を配置する手段。
【００３８】
本発明にしたがった、ひとつの装置では、区画板（区画式板材の要素）の２つの面板とコア部分を構成する、３つの薄板が圧縮継ぎ合わせ装置に同時に供給される。
【００３９】
圧縮継ぎ合わせ装置に薄板を供給する手段が、圧縮継ぎ合わせ装置内に配置され、圧縮継ぎ合わせ装置に  組立て台に対して移動できるように構成されれば、この工程は、より迅速に、より効果的にすることができる。そして、圧縮継ぎ合わせ装置が薄板を互いに圧縮継ぎ合わせたとき、すなわち、組み立て台の第一の端からその第二の端へ移動したとき、当初の位置に戻るように、次の薄板を正確な処理位置へ移送することができるように、本発明にしたがった装置を使用することができる。そして、圧縮継ぎ合わせ装置は、直ちに、新たな継ぎ合わせ処理サイクルを始めることができる。すなわち、再び、組み立て台の第一の端からその第二の端へ移動して、同時に必要な継ぎ合わせをすべて行うことができる。問題の継ぎ合わせは、たとえば、典型的には、薄板の上継ぎ合わせと底継ぎ合わせである。
【００４０】
圧縮継ぎ合わせは、もちろん、２、３、４、５、６、７、８、あるいは、１０のような、適当な数だけ圧縮継ぎ合わせ手段を持つことが出来る。
【００４１】
本発明のひとつの実施態様が、薄板が圧縮継ぎ合わせ、すなわち、機械的に継ぎ合わせされる前に、少なくともいくつかの薄板の間のギャップの中に、継ぎ合わせを絶縁する部材を配置して手段を使用するとき、継ぎ合わせは同時に密閉されることができる。継ぎ合わせを絶縁する部材は、たとえば、ウレタン接着剤のような接着剤であることができる。
【００４２】
本発明にしたがった、装置、あるいは、生産ラインは、さらに、組み立て台から所望の大きさの区画板がその上に移動してくる、追加の装備台のような、追加の装備手段を備えることができる。区画式の板材は、追加の装備台の上で完成する。たとえば、さらなる装備、エッジ・ストライプ、必要なボアなどが、この工程で製造される。
【００４３】
区画板から区画式の板材を製造する、本発明の典型的な方法は、少なくとも、下記の工程を含むことで特徴付けられる。
ａ）第一の薄板を組み立て台の上に置く工程、
ｂ）互いに固定された薄板が区画板の面板とコア構造体を形成するように、圧縮継ぎ合わせ装置で、薄板を互いに圧縮継ぎ合わせする、あるいは、機械的に継ぎ合わせる工程、
ｃ）第二の薄板を第一の薄板に連結する工程、
ｄ）第二の薄板を、互いに、および、第一の工程で圧縮継ぎ合わせ装置で互いに固定された薄板を、圧縮継ぎ合わせ、あるいは、機械的に継ぎ合わせて、区画式の板材からなる面板とコア構造体を形成する工程と、
ｅ）所望の大きさの区画式の板材の部材まで、ｃ）およびｄ）を繰り返す工程。
【００４４】
本発明にしたがった、ひとつの実施態様では、少なくとも３つの薄板、すなわち、区画式の板材の、第一、および、第二の面板部分、コア部分を形成する、薄板は、単一の工程で、互いに、圧縮継ぎ合わせされる。そして、同時にこれらの間のすべての継ぎ合わせを形成することができる。
【００４５】
本発明にしたがった、典型的な負荷ベアリング平面建屋構造は、
・主に、第一の方向にコアが配置されている、第一の平面状の区画式の板材
・主に、第二の方向にコアが配置されている、第二の平面状の区画式の板材
・第一、第二の平面状の区画式の板材の間に固定されている、平面状の絶縁体層
を備えている。
【００４６】
第一、第二の区画式の板材、これらの間の平面状の絶縁体層は、主に平行に配置され、絶縁体層から離れる方向を向いている、第一、第二の区画式の板材面は、構造体の外側の面を形成する。
【００４７】
本発明にしたがった、ひとつの実施態様では、第一の方向は、主に、第一の平面状の区画式の板材の平面の方向であり、第二の方向は、主に、第二の平面状の区画式の板材の平面の方向である。
【００４８】
本発明にしたがった、ひとつの実施態様では、第一と第二の方向は、それらの間に実効的な角度を形成する。このように、構造体の区画式の板材は、異なった方向を向いたコアを持っている。このことが、構造体の強度を高めている。本発明のひとつの実施態様では、第一と第二の方向は、実質的に、互いに、垂直である。そして、この構造が特に強い。
【００４９】
本発明にしたがった、ひとつの実施態様では、第一、第二の区画式の板材は、鋼からなる区画式の板材である。
【００５０】
たとえば、本発明にしたがった、構造体が、ビルのベース・フロアとして使用されるとき、区画式の板材の外側の面に細長い基礎杭を締付けることができる。典型的には、基礎杭は、第一の区画式の板材の面方向に実質的に垂直に配置される。
【００５１】
本発明にしたがった、ひとつの実施態様では、基礎杭は、第一の区画式の板材の外側の面に、基礎杭キャップを介して締付けられる。このような基礎杭キャップは、基礎杭キャップが、基礎杭によって第一の区画式の板材に対して、基礎杭の端の面よりも大きい面全体に渡って、あるいは、基礎杭キャップの接触面全体に渡ってかけられる、負荷を分散するように、第一の区画式の板材の外側の面に接触するように配置される。基礎杭キャップの接触面は、第一の区画式の板材に面に投影したとき、実質的に、基礎杭キャップに締付けられた、基礎杭の端の面よりも、大きく、有利なことに、１００％以上大きく、あるいは、さらに、有利なことに、３００％以上大きい。
【００５２】
本発明にしたがった、ひとつの実施態様では、少なくとも、主として、基礎杭キャップの接触面の外側の端のみで、基礎杭キャップは、第一の区画式の板材の外側の面に接触するように配置されている。この種の配置は、基礎杭によって区画式の板材の大きな領域に渡って区画式の板材にむけられる力を分散する。
【００５３】
本発明のひとつの実施態様では、基礎杭キャップは、主に、第一の区画式の板材の外側の面と基礎杭とが部分的に相互接続した状態の、平板様の材料から構成されている。この平板様の材料の面の方向は、少なくとも、主として、第一の区画式の板材の面の方向と異なる。この平板様の材料は、たとえば、主として、区画式の板材に対面する底面を持った、円錐、あるいは、ピラミッドの形状を有している。
【発明を実施するための最良の形態】
【００５４】
異なる実施態様で、対応する特徴には同じ参照番号を使用している。本発明を示すいくつかの図において、明瞭にするために、部品は実際とは異なる寸法で表されている。たとえば、区画板の間のギャップは、全般的に誇張してある。
【００５５】
図１は、従来の区画式の板材４０１を示している。この区画式の板材４０１は、第一の面板４０２、これと平行に第二の面板４０３を備えている。これらと別の分離したコア構造体４０４は、これらの面板の間に溶接されている。
【００５６】
図２は、基礎的な表示で、本発明にしたがった、区画式の板材１の部分を示している。区画式の板材１は、Ｚ字型の金属の区画板５から組立てられている。区画板５は、それぞれ、第一の突出面６、これに平行な第二の突出面７を備えている。これらの突出面は、これらの突出面と一体成形された、単一のコア部分４で、連結されている。区画板５は、たとえば、ロール成形、あるいは、区画板５に第一、第二の折目８、９をつけることによって、平らな金属板から曲げられている。第一の折目８は、第一の突出面６とコア部分４の間にある。第二の折目９は、第二の突出面７とコア部分４の間にある。コア部分４は、突出面に対してほぼ直角に曲げられている。区画板方が、たとえば、それらの接触点１０で溶接されて、互いに固定されるとき、第一の突出面は、区画式の板材の第一の面板２を形成し、第二の突出面は、区画式の板材の第二の面板３を形成する。
【００５７】
図３の区画式の板材１は、図２の別の区画式の板材１に対応しているが、突出面６、および、突出面７の長さに対するコア４の長さの比が、図２の比よりも実質的に大きい。しかしながら、両図の区画板５は、共に同じ厚さの細長い金属からなっており、図３の区画式の板材１の方が実質的に高い強度を提供する。
【００５８】
図４の区画式の板材１は、多くの互いに同一で対称の区画板５、５’から形成されている。図５は、２つの区画板５、５’間の接触点１０を拡大して示している。隣接する突出面６、６’が同じ面になるように、接触点１０で、第一の固定用の折目１１’は、第一の区画板５’の第一の折目８’内に形成されている。第二の区画板５にある第一の突出面６の端１２は、その固定用の折目の中へ嵌めてある。隣接する区画板５、５’は、たとえば、互いに対面する突出面６の端１２と固定用の折目１１’の間の接触点１０で互いに溶接されることができる。同様の方法で、その区画板間のその他の固定位置に配置することができる。
【００５９】
図６の区画式の板材１は、多くの互いに同一で対称の区画板５、５’から形成されている。図７は、２つの区画板５、５’間の接触点１０を拡大して示している。接触点１０に、溝様の形状を持つ、第一の固定用の折目１１は、第一の区画板５の第二の折目９内に形成されている。第二の固定用の折目１４’は、第一の区画板５’の第二の突出面７’の端１３’に形成されている。隣接する第二の突出面７、７’が同一面内にあるように、端１３’は、第一の固定用の折目１１に嵌め込まれている。隣接する区画板５、５’は、たとえば、接触点１０で、互いに対面している、端１３’と固定用の折目１１の間に、互いに接着剤で貼り付けられることができる。同様の方法で、その区画板間のその他の固定位置に配置することができる。
【００６０】
図８は、区画式の板材１がどのように多くの互いに同一で対称の区画板５、５’から形成されるかを示している。第一の接触面１０の第一の区画板５の第一の折目８において、互いに隣接する、溝１５と突起１６を備えている、第一の固定用の折目１１が形成されている。第二の区画板５’の第一の突出面６’の端１３’で、鍵様の形状を持つ、第二の固定用の折目１４’が形成されている。この固定用の折目１４’は、隣接する第一の突出面６、６’が固定した後で同一面内にあるように、溝１５と突起１６の中に嵌め込まれている。
【００６１】
窪み２３’を備えた、第三の固定用折目２２は、図８の第二の接触点１０’で、第二の区画板５’の第二の折目９’近傍に形成されている。第一の区画板５の第二の突出面７の端２４で、鍵様の形状を持つ、第四の固定用の折目２５が形成されている。この固定用の折目２５は、固定した後で隣接する第二の突出面７、７’が同一面内にあるように、溝２３’の中に嵌め込まれている。
【００６２】
図９は、図８に示された、第一の接触点１０を拡大して示しており、どのように、区画板５、５’が機械的な継ぎ合わせでそこに固定されているかを示している。溝１５、突起１６、および、固定用の折目１４’は、静止した穿孔台２０に向かう矢印で示された方向に圧縮（プレス）されている。このように、薄板からなる区画板５、５’は、互いに固定される。
【００６３】
図１０は、図８に示された、第二の接触点１０’を拡大して示しており、どのように、区画板５、５’が機械的な継ぎ合わせでそこに固定されているかを示している。溝２３’、固定用の折目２５、および、固定用の折目１４’は、静止した穿孔台２０に向かう矢印で示された方向に圧縮（プレス）されている。このように、薄板からなる区画板５、５’は、互いに固定される。
【００６４】
図１１は、多くの互いに同一で対称な板材５、５’からなる、図４の区画式の板材に、類似の区画式の板材１を示している。第一の接触面１０で、第一の固定用の折目１１’は、板材５’の第一の折目８’の内に形成されている。板材５の第一の突出面６の端１２は、隣接する突出面６、６’が同一面内にあるように、その板材の中に嵌め込まれている。隣接する板材５、５’は、接触面１０で、互いに対面している、突出面６の端１２と固定用の折目１１’の間に、固定されるように、たとえば、互いに、溶接、あるいは、接着されることが出来る。螺子あるいはリベット３１も、連結をしっかりと停めるために、端１２と固定用の折目１１’を通して取付けられている。
【００６５】
図１１の第二の接触点１０’で、固定用の折目１４’は、区画板５’’の第二の突出面７’’の端１３’’の内に形成されている。この固定用の折目１４’は、隣接する突出面７’、７’’が同一面内にあるように、ように、隣接する区画板のコア部分４’に対面して設けられている。板材５、５’は、接触面１１で、互いに対面している、固定用の折目１４’とコア部４’の間に、固定されるように、たとえば、互いに、溶接、あるいは、接着されることが出来る。螺子あるいはリベット３１も、連結をしっかりと停めるために、固定用の折目１４’とコア部４’を通して取付けられている。対応する方法で、図１１の板材間のその他の固定点を設けることが出来る。
【００６６】
図１２は、本発明の第七実施態様の区画式の板材の断面図を示している。区画式の板材１は、Ｕ字型の形状を持つ、多くの金属区画板５、５’から組み立てられている。各々の区画板５、５’は、第一突出面６、平行な第二突出面７を備えている。これらの突出面は、これらと一体に形成されている、コア部４で相互に接続されている。区画板５は、たとえば、ロール成形、あるいは、これに第一及び第二の端８、９を形成することによって、平面状の金属板から屈曲している。第一の端８は、第一の突出面６とコア部４の間にある。第二の端９は、第二の突出面７とコア部４の間にある。コア部４は、これらの突出面に対してほぼ直角に屈曲している。たとえば、溶接、および／あるいは、螺子、あるいは、リベット３１によって、それらの接触点で、区画板が互いに固定されたとき、それらの第一の突出面は、区画式の板材の第一の面板を形成し、それらの第二の突出面は、区画式の板材の第二の面板を形成する。
【００６７】
図１３は、その板材１が多くの互いに同一で対称なＵ字型の区画板５、５’から形成される、図１２の区画式の板材に類似の区画式の板材１を示している。単一の区画板では、コア部４は、ジグザグ形状の折目２２’を持つように形作られている。この折目は、たとえば、コアの第一の外側の端からその第二の外側の端まで、コア方向の全ての距離（長さ）、を覆っている。これらの折目の支援を受けて、区画板の強度および可撓特性を変えることが出来、要求される区画式の板材の強度および可撓特性に変えることができる。
【００６８】
図１４は、本発明の第九実施態様の区画式の板材の断面図を示している。区画式の板材１は、Ｕ字型の形状を持つ、多くの金属区画板５、５’から組み立てられている。各々の区画板５、５’は、第一突出面６、平行な第二突出面７を備えている。これらの突出面は、これらと一体に形成されている、コア部４で相互に接続されている。細長い強化部材２０、２０’は、区画板５に形成され、区画式の板材１の突出面６、７の双方、および、コア４に形成される。細長い強化部材２０、２０’は、たとえば、ロール成形、あるいは、端を形成することによって、形成される。細長い強化部材２０、２０’は、そのコア方向に対峙するように、突出面６、７の双方、および、コア４に形成される。細長い強化部材２０、２０’は、突出面６の第一の端６’’からの第一の距離で始まるように、また、突出面６とコア４の間で連結６’’から第二の距離まで連続するように、そのコア方向に対峙するように、突出面６、７の双方、および、コア４に形成される。明瞭にするために、図１４は、互いに締付けられている区画板５を示してはいない。
【００６９】
図１５は、強化形状２０、２０’が形成された、多くの互いに同一なＵ字型形状の区画板５、５’からなる、図１４の区画式の板材と類似の、区画式の板材１を示している。突出面６、７で、強化形状２０、２０’は、コア方向と平行になるように形成され、コア４の中で、それらは、コア方向に対面して形成されている。明瞭にするために、図１５は、区画板５の互いの締め付けを示していない。
【００７０】
図１６は、本発明にしたがった、突出面６、および、コア４を示している。区画板４および６は細長い平板状の金属からロール成形によって、それらの長手方向の端にある固定用の折目、および、突出面６の端の間で区画板の長手方向に強化形状２０が形成されている。固定用の折目１３は、突出面６の第一の端１１に位置し、固定用の折目１４は、突出面６の第二の端１２に位置している。固定用の折目２３は、コア４の第一の端２１に位置し、固定用の折目２４は、コア４の第二の端２２に位置している。
【００７１】
図１７は、どのように、区画式の板材１がから分離した別々の区画板、すなわち、突出面６、６’、６’’、６’’’とコア４、４’から形成されるか、の例を示している。突出面６の第二の端の固定用の折目１４、突出面６’の第一の端の固定用の折目１３’、および、コア４の第一の端の固定用の折目２３は、互いにの中に、接触点１０で、嵌め合わされている。同様の方法で、突出面６’’の第二の端の固定用の折目１４’’、突出面６’’’の第一の端の固定用の折目１３’’’、および、コア４の第二の端の固定用の折目２４は、互いにの中に、接触点１０’で、嵌め合わされている。区画板は、接触点１０、１０’で、機械的な継ぎ合わせによって、互いに固定されている。そして、突出面６、６’は、区画式の板材１の第一の面板２を形成し、突出面６’’、６’’’は、区画式の板材１の第二の面板３を形成する。固定点で、材料は６つ折に圧縮される。
【００７２】
図１６、および、１７は、同一の形状を持つ面６、６’のような、互いに対面して位置する突出面を示している。突出面６，６’’は、互いに対面する位置にだけに取付けられている。このように、区画式の板材１は、ひとつは突出面用、もうひとつはコア用の、２つの異なった形状を持つ区画板だけを使用して形成される。
【００７３】
図１６に描かれた、突出面の幅、すなわち、進行分Ａは、たとえば、約０．１５ｍであることができる。図１６に描かれた、コアの幅Ｂは、たとえば、約０．９ｍであることができる。したがって、図１７に描かれた、区画式の板材１の全体の厚さＣは、ほぼ、Ｂに２つの使用されている金属板の厚さを加えたもの、換言すれば、たとえば、０．０９５ｍとなる。
【００７４】
組立中、絶縁体を区画式の板材内のスペース（間隙）３０に搬入することが可能である。絶縁体は、たとえば、実質的に、スペース（間隙）３０の全体を占める、ミネラル・ウールからなる板であることができる。ひとつのスペース（間隙）３０には、ほぼ長尺形の断面を持つ、ミネラル・ウールのピースを配置することが出来る。この絶縁体は、たとえば、上記の寸法を使用して、ＡにＢを乗じた、寸法を持つことが出来る。図に示された、この断面を横断する方向に、絶縁体は、たとえば、区画式の板材、あるいは、区画板４および６と同じ長さであることができる。
【００７５】
図１８は、本発明にしたがった、細長い鋼鈑片からなる、区画式の鋼鈑を生産する、生産ラインを示している。典型的には、少なくとも、本発明にしたがった、生産ラインの装置の主要部分、及び、好ましくは、すべての装置は、同じ建屋のなかにあることが望ましい。生産ラインは、以下のように、機能する。
【００７６】
保管庫１０１に、鋼板片のロールが保管される。保管庫は、多くのロールを保持している。必要なとき、ロール移送装置１０２によって保管庫からマザー巻取りリール１０３へ鋼板のロールが移送される。鋼板は、マザー巻取りリールから板片切断機１０４へ解き出される。板片切断機１０４は、所望の区画板によって決まる幅と厚さを持った、鋼板片に鋼板を切断する。たとえば、主に所望の区画板の厚さを決めるコア４の幅Ｂが１００ｍｍの場合なら、要求されるコア片の幅は、１００ｍｍに、固定用の折目２３、２４によって要求される、材料の量、言い換えると、機械的な継ぎ合わせに必要な材料を加えたものとなる。
【００７７】
切断機１０４によって切断された鋼板片は、第二の巻取りリール１０５に移送される。必要があれば、異なる幅の鋼板片を作製して、保管庫に保管することも可能である。切断された鋼板片は、第二の巻取りリール１０５から鋼板片切断装置１０６へ解き出される。切断装置１０６は、鋼板片を切断して所望の長さを持った鋼板の盲板にする。鋼板片は、要求される区画式の板材の長さで決定される長さに切断される。
【００７８】
そして、鋼板の盲板は、鋼板片切断装置１０６からロール成形装置１０７へ移送される。ロール成形装置１０７は、強化形状２０のような、その他の形状とともに、盲板の中に固定用の折目１３、１４、２３、２４（図１および２を参照）をロール成形する。このように、盲板は、区画式の板材を形成する、区画板に成形される。区画式の板材の面板２、３を形成する、区画板６、６’の幅は、プレート・フィールドの進み量Ａ、および、コア４、４’間の距離を決定する。コア構造を形成する、区画板４、４’の幅Ｂは、完成した区画式の板材の厚さＣ、すなわち、強度を決定する。典型的には、コアの幅が広くなれば、より硬く強い区画式の板材が得られる。
【００７９】
ロール成形装置１０７から、区画板は、区画板保管台１０８へ移動する。区画板保管台は、区画板をソート、および、保管するスペースとして必要である。ソーティング台１０８上で、それらの組立の順番にしたがって、区画板はソートされる。ソートされた区画板は、ソーティング台１０８から区画板事前締付け台１０９へ移送される。この事前組立台の上で、区画板は、継ぎ合わせる前に、固定用の折目で、互いに事前締付けされる。この段階で、たとえば、ひとつの区画板の盲板を事前に締付ける、換言すれば、２つの区画板６、６’’、および、コア区画板４が相互に接続されることが可能である。
【００８０】
互いに事前締付けられた区画板は、事前締付け台１０９から、接着装置１１１、絶縁体処理装置１１０、あるいは、区画式の板材組立台１１３のいずれかへ向かって前方に移動する。
【００８１】
接着装置１１１は、たとえば、ウレタン接着剤を、機械的に継ぎ合わせられる、継ぎ合わせの中に  機械的に継ぎ合わせる前に、事前に締付けられた区画板の間のギャップの中へ押し込むことができる。これによって、密閉した区画式の板材を提供でき、区画式の板材の強度を増すことが出来る。
【００８２】
絶縁処理装置１１０によって、絶縁体を少なくとも区画板の部分、あるいは、区画板間のギャップの中に配置することが可能になる。絶縁体は、たとえば、次の盲板の事前に組み立てられた区画板を搬入して機械的継ぎ合わせる前に、事前に機械的に継ぎ合わされた区画板部内に取付けられる。絶縁体は、必要なときに区画板の間に接着されることができる。
【００８３】
区画式の板版の組立台１１３の上で、事前に互いに締付けられた区画板は、互いに固定用の折目でしっかりと固定されて区画板の部分が形成されるように、機械的に継ぎ合わせ装置１１２で、機械的に継ぎ合わされる。機械的に継ぎ合わせ装置１１２は、典型的には、たとえば、レール上に、組立台１１３のひとつの側面に沿って移動できるように配置されている。たとえば、次のように作動することが可能である。既に継ぎ合わされた区画板は、組立台の上に区画板の幅に渡って押されて、その後、新たな区画板が運び込まれて継ぎ合わされる。多くの区画板が隣り合わせに継ぎ合わされて、区画式の板材の幅を決定する。
【００８４】
所望の大きさの区画板は、区画板の組立台１１３から更なる装備台１１４に移動する。更なる装備台１１４上で、たとえば、さらなる装備、エッジ・ストライプ、必要なボア、他をこの工程で作製して、区画式の板材は完成する。この完成した区画板は、区画板持ち上げ装置１１５と共に更なる装備台１１４から区画板用の保管庫１１６へ移動する。典型的な持ち上げ装置１１５は、完成した区画板を持ち上げて、同時に、それをその、開口していてもよい、端で支持する。保管庫１１６の中で、区画板は、水平、あるいは、垂直な位置で保管される。
【００８５】
図１９、および、２０に示された装置は、機械的な継ぎ合わせ、すなわち、圧縮継ぎ合わせ装置１１２、および、組立台１１３の例を示している。
【００８６】
図１９、および、２０は、区画板２０２、２０３を製造する装置を示している。図１９は、第一の方向、すなわち、ひとつの側面から見た、本発明のひとつの実施態様にしたがった装置を示している。この装置は、区画板２０１の組立台２０４とこれに接続された圧縮継ぎ合わせ装置２０５を備えている。圧縮継ぎ合わせ装置２０５は、レール２０７によって組立台２０４のひとつの側面に支持された車輪２０６上で動けるように配置されている。圧縮継ぎ合わせ装置２０５は、もちろん、電気、および／あるいは、水力モータ、制御および安定化自動装置、クラッチおよびギアボックス、および、当業者に知られた、その他必要な機械類のような、必要な動力源を備えている。
【００８７】
圧縮継ぎ合わせ装置２０５は、当業者にそれと知られた、軸機構、すなわち、圧縮および継ぎ合わせるロール２０８、を持つ。好都合にも、組立台２０４は、完成した区画板の部分が台上で前方へ移動できるように操作されて、次に継ぎ合わせる区画板が運び込まれることができる。さらに、図１９は、区画板が圧縮継ぎ合わせされる前に、ウレタン接着剤のような、絶縁物を少なくともいくつかの区画板の間の中に配置する手段２０９を示している。
【００８８】
区画板の組立台２０４上で、圧縮継ぎ合わせ装置２０５は、事前に締付けられた区画板をそれらの固定用の折目で互いにしっかりと圧縮継ぎ合わせて、区画板の部品が作製される。操作は、たとえば、以下の通りである。すなわち、区画板の既に継ぎ合わされた部分は組立台上で全幅に渡って押されて、その後、継ぎ合わされて区画板の部品にするように、新たな事前に組み立てられた区画板が運び込まれる。多くの区画板は、互いに隣り合わせに継ぎ合わされて、区画式の板材の幅を決める。
【００８９】
図２０は、一側面から見た、あるいは、図１９の装置を横方向から見た、図１９の装置を示している。図中の矢印２１１は、圧縮継ぎ合わせ装置２０５の移動する方向を示している。さらに、図は、区画板を圧縮継ぎ合わせ装置に供給する手段２１０を示している。圧縮継ぎ合わせ装置２０５が、互いに継ぎ合わされた、および、事前に継ぎ合わされた区画板に、区画板２０２、２０３を有しているとき、換言すると、組み立て台２０４の第一の端から第二の端に移動したとき、当初の位置に戻るように、次の区画板を正確な位置に移動する。そして、圧縮継ぎ合わせ装置は、直ちに、新たな継ぎ合わせサイクルを始める、すなわち、組み立て台の第一の端からその第二の端へ再び動き出すことができ、同時に、すべての必要な継ぎ目を継ぎ合わせることができる。典型的には、問題の継目は、たとえば、区画板の上面と底面の継ぎ目である。
【００９０】
図２１、および、図２４は、第一の平板状区画式の板材３３１、第二の平板状区画式の板材３３２、および、第一、第二の平板状区画式の板材の間に固定される、平板状絶縁層３３３を備えた、負荷ベアリング平板状構造体３３０を示している。区画式の板材３３１のコア３３４は、区画式の板材３３１の面に平行に配置され、主として、第一の方向を向いている。区画式の板材３３２のコア３３５は、区画式の板材３３２の面に平行に配置され、主として、第二の方向を向いている。第一、第二の区画式の板材、および、それらの間の絶縁層は、主に、平行である。コア３３４、３３５は、主に、互いに、垂直である。絶縁層３３３から離れた方向に向いている、第一の区画式の板材３３１の表面は、構造体３３０の底面３３６である。絶縁層３３３から離れた方向に向いている、第二の区画式の板材３３２の表面は、構造体３３０の上面３３７である。第一、第二の区画式の板材３３１、３３２は、たとえば、図１６および１７、あるいは、１から１５区画式の鋼板である。
【００９１】
図２２から図２４は、建屋の負荷ベアリング構造体を意図する、構造体３３０を示している。この構造体の底面３３６は、細長い基礎杭３４０上に支持されている。この基礎杭は、たとえば、鋼、あるいは、コンクリートからなることができる。基礎杭３４０は、実質的に、鉛直、すなわち、実質的に、構造体３３０の主な水平方向に垂直である。基礎杭３４０は、基礎杭キャップ３４１を介して区画式の板材３３１の底面３３６に締付けられている。（しっかりと固定されている）基礎杭キャップは、基礎杭を覆う、基礎杭用の締付け部３５１を持っている。基礎杭キャップ３４１は、基礎杭３４０の端よりも広い、すなわち、基礎杭キャップの接触面に渡る面を覆って、伸延部３４２を介して構造体の底面３３６に対してかかる、基礎杭３４０による、負荷を分散する。この接触面は、底面３３６に締付けられた、基礎杭キャップの伸延部３４２の端３４３、によって決定される。基礎杭キャップ３４１の接触面は、実質的に、基礎杭キャップに締付けられた、底面に投影された、基礎杭３４０の端の面よりも広い。基礎杭キャップは、構造体３３０の底面３３６に、たとえば、ボルト、あるいは、溶接によって、締め付け部材３５３で締付けられる。
【００９２】
図２２の実施態様では、基礎杭キャップの伸延部３４２は、平面状の板である。平面状の板は、たとえば、少なくとも１０ｍｍの厚さを持った鋼板であることができる。実際には、端３４２が底面３３６から離れるように比較的厚い板３４２でも屈曲する危険性がある。これにより、接触面積を低減し、基礎杭３４０の負荷は、構造体３３０に対面するより小さい面の上に向けられる。
【００９３】
図２３、および、図２４の実施態様では、基礎杭キャップの伸延部３４２は、主として、平板様の形状を持つ材料からなり、構造体の底面３３６に、伸延部３４２の端３４３で、接続して配置されている。この平板様の形状を持つ材料の平面の方向は、実質的に、底面３３６の面の方向と異なる。しかしながら、端３４３は、主に、底面３３６の面の方向に屈曲することができる。このような配置は、常に、基礎杭３４０からの構造体３３０に向かった底面３３６の広い領域に渡る、力を分散する。この平板様の形状を持つ伸延部の材料は、たとえば、３から１０ｍｍの厚さを持った鋼板であることができる。
【００９４】
図２３は、主に、先端を切ったピラミッド形状を持つ、伸延部３４２を示している。
【００９５】
図２４は、雨どい様の形状を持った、伸延部３４２を示している。鉛直方向の断面では、伸延部３４２のその雨どいは、主に、底面３３６に向かった、Ｖ、あるいは、Ｕ字型の開口を持っている。
【００９６】
以上で用いた図は、本発明にしたがった有利な効果を持ついくつかの実施態様を単に示したに過ぎない。これらの図は、特に詳細を表してもおらず、本発明の思想、あるいは、そのように知られるもの、あるいは、この分野の当業者にとって自明であることに対して、既知第二義的なものである。この分野の当業者にとっては、本発明は上記の例だけに限られず、請求項の範囲内で変更できることは自明である。従属項は、発明の範囲を限定すると考えられてはならない、本発明のある可能な実施態様を表している。
【図面の簡単な説明】
【００９７】
【図１】既知の区画式の板材を示す基本図である。
【図２】本発明の第一の実施態様の断面図である。
【図３】本発明の第二の実施態様の断面図である。
【図４】本発明の第三の実施態様の断面図である。
【図５】図４の区画式の板材のある部分の拡大図である。
【図６】本発明の第四の実施態様の断面図である。
【図７】図６の区画式の板材のある部分の拡大図である。
【図８】本発明の第五の実施態様の断面図である。
【図９】図６の区画式の板材の製造工程を示す図である。
【図１０】図６の区画式の板材の別の製造工程を示す図である。
【図１１】本発明の第六の実施態様の断面図である。
【図１２】本発明の第七の実施態様の断面図である。
【図１３】本発明の第八の実施態様の断面図である。
【図１４】本発明の第九の実施態様の断面図である。
【図１５】本発明の第十の実施態様の断面図である。
【図１６】本発明の第十一の実施態様の突出面とコアの断面図である。
【図１７】本発明の第十二の実施態様の区画式の板材のある部分の断面図である。
【図１８】本発明にしたがった、１つの生産ラインを示す図である。
【図１９】本発明の１つの実施態様にしたがった、１つの装置を１つの端から見た図である。
【図２０】図１９の装置を側面から見た図である。
【図２１】本発明にしたがった、構造体の１つの実施態様を示す図である。
【図２２】本発明にしたがった、構造体の第二の実施態様を示す図である。
【図２３】本発明にしたがった、構造体の第三の実施態様を示す図である。
【図２４】本発明にしたがった、構造体の第四の実施態様を示す図である。
【図１】
2009515072.tif 000003
【図２】
2009515072.tif 000004
【図３】
2009515072.tif 000005
【図４】
2009515072.tif 000006
【図５】
2009515072.tif 000007
【図６】
2009515072.tif 000008
【図７】
2009515072.tif 000009
【図８】
2009515072.tif 000010
【図９】
2009515072.tif 000011
【図１０】
2009515072.tif 000012
【図１１】
2009515072.tif 000013
【図１２】
2009515072.tif 000014
【図１３】
2009515072.tif 000015
【図１４】
2009515072.tif 000016
【図１５】
2009515072.tif 000017
【図１６】
2009515072.tif 000018
【図１７】
2009515072.tif 000019
【図１８】
2009515072.tif 000020
【図１９】
2009515072.tif 000021
【図２０】
2009515072.tif 000022
【図２１】
2009515072.tif 000023
【図２２】
2009515072.tif 000024
【図２３】
2009515072.tif 000025
【図２４】
2009515072.tif 000026
【手続補正書】
【提出日】平成19年3月28日(2007.3.28)
【手続補正１】
【補正対象書類名】特許請求の範囲
【補正対象項目名】全文
【補正方法】変更
【補正の内容】
【特許請求の範囲】
【請求項１】
第一の面板（２）、第二の面板（３）、および、それらの間にあるコア構造体（４、４’）から形成される、区画式の板材（１）を製造する方法において、
前記区画式の板材は、複数の平板様の材料からなる区画板を互いに締付けることによって、製造され、前記区画板は、
略平面状の第一突出面（６、６’）と、
略平面状の第二突出面（６’’、６’’’）と、
前記第一突出面と前記第二突出面とを互いに相互接続するように構成された、コア構造体（４、４’）とであって、
前記区画板は、
前記第一突出面（６、６’）が隣り合って締め付けられて、前記区画式の板材の第一の面板（２）が形成され、
前記第二突出面（６’’、６’’’）が隣り合って締め付けられて、前記区画式の板材の第二の面板（３）が形成され、
前記コア構造体（４、４’）が前記第一突出面および前記第二突出面（６、６’、６’’、６’’’）に締付けられて、区画式の板材のコア構造体が形成される、
ように、互いに締付けられる、
区画式の板材（１）を製造する方法において、
前記突起面、あるいは、前記コアに、固定用の折目が形成されることで、隣り合わせに配置される、前記区画板が、互いに向かい合うように配置されることによって、固定され、
機械的に継ぎ合わせることにより、互いに対面する固定用の折目で、隣接する区画板は、互いに締付けられる、
ことを特徴とする区画式の板材（１）を製造する方法。
【請求項２】
隣接する区画板は、機械的に継ぎ合わせることによって、互いに締付けられる、ことを特徴とする請求項１に記載の方法。
【請求項３】
隣接する区画板は、糊付け、リベット止め、螺子止め、あるいは、溶接によって、互いに締付けられている、ことを特徴とする請求項１、あるいは、２に記載の方法。
【請求項４】
隣接する区画板は、適当な大きさの略平面状の金属薄板から製造されて、前記金属薄板に、端、窪み、突起、あるいは、その他の形状が形成されている、ことを特徴とする請求項１、２、あるいは、３に記載の方法。
【請求項５】
前記第一の、あるいは、第二の突出面、コア、あるいは、これらすべてに、窪み、溝、突出、あるいは、突起のような、細長い強化形状が冷間成形によって形成されている、ことを特徴とする請求項１、２、３、あるいは、４に記載の方法。
【請求項６】
細長い強化形状は、ロール成形によって、製作されている、ことを特徴とする請求項５に記載の方法。
【請求項７】
前記隣り合う区画板は、機械的な継ぎ合わせ、接着、リベット止め、螺子止め、および、溶接のうちの１つ、あるいは、それ以上の方法によって、固定用の折目で、互いに締め付けられている、ことを特徴とする請求項１−６いずれか１項に記載の方法。
【請求項８】
第一、および、第二の略平行な面板（２、３）、および、前記面板の間のコア構造体（４、４’）を具備した、区画式の板材（１）であって、
前記区画式の板材は、平板様の材料からなり、互いに締付けられた、複数の区画板を具備し、前記区画板は、
略平面状の第一の突出面（６、６’）であり、
略平面状の第二の突出面（６’’、６’’’）であり、
第一の突出面と第二の突出面とを互いに相互接続するように構成された、コア（４、４’）であって、前記区画板は、
前記第一の突出面（６、６’）は、隣り合って配置されて、区画式の板材の第一の面板（２）を形成し、
前記第二の突出面（６’’、６’’’）隣り合って配置されて、区画式の板材の第二の面板（３）を形成し、
前記コア（４、４’）は、前記第一、及び、第二の面板（２、３）に締付けられて、区画式の板材のコア構造体を形成するように、互いに締め付けられた、区画式の板材において、
前記突起面、あるいは、前記コアに、固定用の折目が形成されることで、隣り合わせに配置される、前記区画板が、互いに向かい合うように配置されることによって、固定され、
機械的に継ぎ合わせることにより、互いに対面する固定用の折目で、隣接する区画板は、互いに締付けられている、
ことを特徴とする区画式の板材。
【請求項９】
隣接する区画板は、糊付け、リベット止め、螺子止め、あるいは、溶接によって、互いに締付けられている、ことを特徴とする請求項８に記載の区画式の板材。
【請求項１０】
個々の区画板は、適当な大きさの単一の平面状の金属薄板からなり、前記金属薄板に、端、窪み、突出、あるいは、突起が形成される、ことを特徴とする請求項８−９のいずれか１項に記載の区画式の板材。
【請求項１１】
前記隣り合う区画板は、機械的な継ぎ合わせ、接着、リベット止め、螺子止め、および、溶接のうちの１つ、あるいは、それ以上の方法によって、固定用の折目で、互いに締め付けられている、ことを特徴とする請求項８−１０のいずれか１項に記載の区画式の板材。
【請求項１２】
前記第一、および、第二の突出面は、略平行に配置される、ことを特徴とする請求項８−１１のいずれか１項に記載の区画式の板材。
【請求項１３】
前記第一、および、第二の突出面は、略同一の形状、あるいは、互いに略鏡像関係にある形状をなすことを特徴とする、請求項８−１２のいずれか１項に記載の区画式の板材。
【請求項１４】
前記コアは、ジグザク形状、あるいは、波状形状の、折目を持つように成形されている、ことを特徴とする請求項８−１３のいずれか１項に記載の区画式の板材。
【請求項１５】
窪み、溝、突出、あるいは、突起のような、細長い強化形状が、前記第一、あるいは、第二突出面、前記コア、あるいは、それらすべてに、冷間成形によって形成される、ことを特徴とする請求項８−１４のいずれか１項に記載の区画式の板材。
【請求項１６】
前記細長い強化形状は、ロール形成によって製作される、ことを特徴とする請求項１５に記載の区画式の板材。
【請求項１７】
前記区画式の板材は、突出面となるように構成された、第一の区画板、コアとなるように構成された、第二の区画板の、２つのタイプの区画板から形成される、ことを特徴とする請求項８−１６のいずれか１項に記載の区画式の板材。
【請求項１８】
細長い鋼板からなる、区画式の板材の部材（１）を生産する方法であって、
ロール形成装置（１０７）によって細長い鋼板から作製される、所定の幅と長さを持つ、鋼板からなる盲板に、固定用の折目（１３、１４、２３、２４）をロール成形する工程、
組立ての順番に従って、前記薄板をソートする工程、
前記固定用の折目で、前記薄板を事前に互いに締付ける工程、あるいは、
前記固定用の折目で、互いにしっかりと固定されるように、機械的継ぎ合わせ装置（１１２）によって、前記薄板を互いに機械的に継ぎ合わせる工程、
のいずれか１つの工程を含むことを特徴とする、
区画式の板材の部材（１）を生産する方法。
【請求項１９】
盲版は、ロール成形に先立って、
ストリップ切断機（１０４）によって、前記細長い鋼板から所望の幅を持つ断片を切り取る工程と、
切断装置（１０６）、前記断片から鋼鈑の盲板を切り出す工程と、
前記盲板を前記切断装置（１０６）から前記ロール成形装置（１０７）へ移動する工程と、によって形成される、
ことを特徴とする請求項１８に記載の方法。
【請求項２０】
細長い鋼鈑のロールを保管庫（１０１）に保管する工程と、
リール移送装置（１０２）の支援を受けて、鋼鈑のロールを前記保管庫から第一の巻取りリール（１０３）へ移送する工程と、
前記第一の巻取りリールから前記ストリップ切断機（１０４）へ鋼鈑を解き出す工程と、
で特徴付けられる請求項１９に記載の方法。
【請求項２１】
前記切断された断片を前記ストリップ切断機（１０４）から第二の巻取りリール（１０５）へ移送する工程と、
前記切断された断片を前記第二の巻取りリール（１０５）から切断装置（１０６）へ解き出す工程と、
で特徴付けられる請求項１９に記載の方法。
【請求項２２】
薄板を前記ロール形成装置（１０７）から薄板ソーティング台（１０８）に移送する工程と、
組立て順序にしたがって、前記薄板ソーティング台（１０８）上で、前記薄板をソーティングする工程と、
前記薄板ソーティング台（１０８）から薄板事前組立て台（１０９）に移送する工程と、
薄板事前組立て台（１０９）で、固定用の折目で、事前に前記薄板を互いに締付ける工程と、
前記事前に互いに締付けられた前記薄板を、前記薄板事前組立て台（１０９）から区画板式の板材の部材組み立て台（１１３）へ移送する工程と、
前記事前に互いに締付けられた前記薄板を、前記区画板式の板材の部材組み立て台（１１３）上で、それらの折目で互いにしっかりと固定されるように、機械的に継ぎ合わせる工程と、
で特徴付けられる請求項１８に記載の方法。
【請求項２３】
次の前記薄板を投入して機械的に継ぎ合わせるのに先立って、前記機械的に継ぎ合わされた区画式の板材部材内に、絶縁体を取付ける工程、で特徴付けられる請求項１８に記載の方法。
【請求項２４】
前記薄板の間に前記絶縁体を接着する工程、で特徴付けられる、請求項２３に記載の方法。
【請求項２５】
前記機械的に継ぎ合わせるのに先立って、接着装置（１１１）で、少なくともいくつかの事前に互いに締付けられた薄板に接着剤を塗る工程、で特徴付けられる請求項１８に記載の方法。
【請求項２６】
別のテーブル（１１４）上で、前記区画板式の板材の部材を仕上げる工程と、
区画板式の板材の部材持上げ装置（１１５）で、前記別のテーブル（１１４）から前記区画板式の板材の部材保管庫（１１６）へ前記仕上がった区画板式の板材の部材を移動する工程と、
で特徴付けられる請求項１８に記載の方法。
【請求項２７】
前記薄板が前記固定用の折目で互いに固定されて、前記区画式の板材の第一の面板（２）を形成するために、第一の薄板（６、６’）が隣り合わせに、および、主に平行に配置されるように、および、前記区画式の板材の第二の面板（３）を形成するために、第二の薄板（６’’、６’’’）が隣り合わせに、および、主に平行に配置されるようにされることで、前記第一の、および、第二の面板は、主に平行になり、互いに距離を保つように配置され、および、コア薄板（４、４’）は、区画式の板材の前記コア構造体を形成するために、前記面板を相互に接続するよう用に配置される、前記薄板を機械的に継ぎ合わせる工程、で特徴付けられる請求項１８に記載の方法。
【請求項２８】
固定用の折目（１４、２３、１４’’、２４）で互いに固定されるように、または、２つの薄板、あるいは、前記面薄板（６、６’）が主に平行になり、互いに距離（Ｂ）を保つように配置するように、および、第三の薄板、すなわち、コア薄板（４）が前記２つの薄板と相互接続されるように配置するように、３つの薄板を機械的に継ぎ合わせることによって、区画板盲板を形成する工程と、
固定用の折目（１４、１３’、１４’’、１３’’’）で互いに固定されるように、および、隣接する区画板薄板からなる前記面薄板（６、６’）が主に平行になるように配置されることで、前記隣り合う薄板は、区画式の板材部材の表面プレートを形成し、前記コア薄板は、コア構造体を形成するように、複数の区画板盲板を隣り合わせに機械的に継ぎ合わせる工程と、
で特徴付けられる請求項１８に記載の方法。
【請求項２９】
細長い鋼板からなる、区画式の板材の部材（１）を生産する、生産ラインであって、
固定用の折目（１３、１４、２３、２４）を細長い鋼板からなり、所定の幅と長さを持つ、鋼板の盲板に加工して、盲板を薄板（４、６）に変形する、ロール成形装置（１０７）と、
前記固定用の折目は、事前に互いに締付けられて、互いに固定された薄板は、面板（２、３）と区画式の板材部材のコア構造体（４）を形成する、薄板を互いにしっかりと固定する、機械的継ぎ合わせ装置（１１２）と、を具備する、
ことを特徴とする区画式の板材の部材の生産ライン。
【請求項３０】
細長い鋼鈑から所望の幅を持った断片を切り出す、ストリップ切断機（１０４）、および、前記断片から所望の長さの鋼鈑盲板を切り出して、前記盲板は、前記切断装置（１０６）から前記ロール成形装置（１０７）へ移送される、切断装置（１０６）を具備する、
ことを特徴とする、請求項２９に記載の生産ライン。
【請求項３１】
細長い鋼鈑のロールを保管する、保管庫（１０１）、鋼鈑ロールを前記保管庫から工程へ移送する、リール移送装置（１０２）、前記保管庫から鋼鈑ロールが移送されることができる、第一の巻取りリール（１０３）を具備する、ことを特徴とする請求項３０に記載の生産ライン。
【請求項３２】
前記ストリップ機（１０４）から切断された断片が移送されることができ、前記断片を前記切断装置（１０６）へ解き出すことができる、第二の巻取りリール（１０５）を具備する、ことを特徴とする請求項３０に記載の生産ライン。
【請求項３３】
前記ロール成形装置（１０７）から前記薄板が移動されて、その上で組立て順にしたがって前記薄板が組立てられることができる、ソーティング台（１０８）と、
前記ソーティング台（１０８）でソートされた薄板が移送されることができて、その上で前記薄板がそれらの固定用の折目で事前に互いに締付けられる、薄板事前組立て台（１０９）と、
前記薄板事前組立て台（１０９）から互いに事前締付けされた前記薄板が移送されることができる、区画式の板材部材組立て台（１１３）と、を具備して、
前記機械的継ぎ合わせ装置（１１２）は、前記組み立て台（１１３）と関連して動作できるように、前記組み立て台（１１３）と接続されて構成され、
前記事前に締付けられた薄板は、前記組立て台（１１３）上で区画式の板材部材の部品を形成するように相互接続されるように構成されている、
ことを特徴とする請求項２９に記載の生産ライン。
【請求項３４】
機械的に継ぎ合わせた区画式の板材部材のある部分の中に絶縁体を配置する、絶縁体処理装置（１１０）を具備する、ことを特徴とする請求項２９に記載の生産ライン。
【請求項３５】
前記薄板を機械的に継ぎ合わせる前に、少なくともいくつかの事前に互いに締付けられた薄板の間の前記ギャップに接着剤を塗る、接着装置（１１１）を具備する、ことを特徴とする請求項２９に記載の生産ライン。
【請求項３６】
前記区画式の板材部材を前記区画式の板材部材組み立て台（１３）から前記区画式の板材部材の別の台（１１４）へ移送する手段と、
区画式の板材部材を仕上げ用であって、前記区画式の板材部材が前記区画式の板材部材組立て台（１１３）からその上へ移送されることができる、区画式の板材部材の別の台（１１４）と、
前記別の台（１１４）から区画式の板材部材保存庫（１１６）へ前記仕上がった区画式の板材部材を移送する、前記区画式の板材部材用の持ち上げ装置（１１５）と、を具備する、
ことを特徴とする請求項２９に記載の生産ライン。
【国際調査報告】
2009515072.tif 000027
2009515072.tif 000028
2009515072.tif 000029
2009515072.tif 000030